(57)【要約】【課題】  取扱いが容易であり、構造が単純で製造も簡単な両面額縁の提供を目的とする。【解決手段】  収容物の外径に合せた内径を有する枠体の両面に、１対の透明板を配設して額本体を形成し、この額本体を形成する１対の透明板のそれぞれに、前記収容物の外周囲が隠れる程度の幅を有する幕体あるいは桟よりなる額縁状の擬似枠を配設すると共に、前記枠体内への収容物の挿脱手段を設けることで両面額縁とした。  このような両面額縁によれば、収容物を収納する枠体の両面に疑似枠付の透明板を設けることで、簡略化した額縁を形成し、挿脱手段によって容易に収容物の入れ替えができるようになったものである。【選択図】図１
2010069277.tif 000002
【特許請求の範囲】
【請求項１】
収容物の外形に合せた内径を有し、この内径部分を収容物の収納部とした枠体と、この枠体と同じ大きさあるいはそれよりも大きく形成して、この枠体の両面にそれぞれ配設すると共に、その外周部分に組立用としての複数の貫通孔を設けた１対の透明板とで形成した額本体と、
この額本体を形成する前記１対の透明板のそれぞれに、少なくともその表裏面のうちどちらか一方の面でその外周囲を囲むように配設すると共に、前記収容物の外周囲が隠れる程度の幅を有する幕体あるいは桟よりなる額縁状の疑似枠と、
前記額本体内に設けた枠体内への前記収容物の挿脱手段とからなる両面額縁。
【請求項２】
収容物の外形に合せた内径を有し、この内径部分を収容物の収納部としたコ字状の板体と、この板体の開放端を塞ぐと共に着脱可能に設けた押えとからなる枠体と、この枠体と同じ大きさあるいはそれよりも大きく形成して、この枠体の両面にそれぞれ配設すると共に、その外周部分に組立用としての複数の貫通孔を設けた１対の透明板とで形成した額本体と、
この額本体を形成する透明板の外周囲と一致させて、前記収容物の外周囲が隠れる程度の幅を有する幕体よりなる額縁状の疑似枠と、
この疑似枠付の前記１対の透明板は、透明板に設けた前記貫通孔を介して前記枠体をサンドイッチ状に挟むと共に、この枠体を形成する前記押えを前記額本体の一側から挿脱可能に形成したことを特徴とする両面額縁。
【請求項３】
収容物の外形に合せた内径を有し、この内径部分を収容物の収納部とした枠体と、この枠体と同じ大きさあるいはそれよりも大きく形成して、この枠体の両面にそれぞれ配設すると共に、その外周部分に組立用としての複数の貫通孔を設けた１対の透明板とで形成した額本体と、
この透明板の外周囲と一致させて、前記収容物の外周囲が隠れる程度の幅を有する第１の桟により形成すると共に、前記１対の透明板のそれぞれに配設した額縁状の疑似枠と、
この疑似枠付透明板の一方と、前記枠体とを固着して形成した第１の額と、他方の疑似枠付透明板よりなり前記枠体付あるいは枠体無しの状態に設定した第２の額とを、その一辺で開閉可能な状態に設定する蝶番と、
この蝶番により開閉可能にした前記第１の額と第２の額とを結合する結合手段とからなる両面額縁。
【発明の詳細な説明】
【技術分野】
【０００１】  本発明は、展示用としてその両面が使用できると共に、構造が単純で収容物の保管や展示物の交換が、容易にできるように改善した両面額縁に関する。
【背景技術】
【０００２】  従来例の両面が使用できる額縁としては、枠状の額縁の一側面に設けた開口部から挿入する方形の裏板と、この裏板の両面に重ねて配設する透明板とからなり、この透明板のそれぞれと裏板間に、写真等の収容物を挟んで展示するものがあった。
額の一側面に設けた開口部には、蓋を着脱可能に設けて、展示物を押えるようにした両面使用の額縁である。（例えば特許文献１参照）
また、両面使用ではないが、額縁内に予備の写真などを収容するポケットを設けたものがある。例えば額の中に掲示用ポケットと保管用のポケットを専用に形成して、掲示用ポケットには写真を挟んだ折畳式写真マットを収容し、保管用ポケットには保管用の写真を収容する２層のポケットを有する額縁がある。（例えば特許文献２参照）。
【特許文献１】  特開２００２−１４２９３８号公報（第２頁、図４）
【特許文献２】  特開２００４−３１３６９７号公報（第３頁、図１）
【発明の開示】
【発明が解決しようとする課題】  特許文献１に示す両面使用の額縁は、その断面をコ字形に形成して、段差部を有する桟を枠形に形成した額縁よりなり、その一側面に形成した開口部と、この開口部を覆いその上下にストッパーを有する蓋とからなる。
また、この額縁内の段差部に挿入する２枚の透明板と、この透明板に挟まれた裏板とで、写真などの展示物を収容するか、額縁の構造が複雑である。
更に、裏板、透明板、展示物の大きさを同一にする必要と、写真の交換には全てを取出してから、所定の位置に配設して、揃えてから額縁内に挿入すると共に、着脱の面倒な構造の蓋を操作しなければならないという欠点があった。
特許文献２に示す２層ポケットを有する額縁は、形状の異なる専用の仕切板が必要である。また、展示用品の位置決めや収容に、折畳み式専用マットを必要とする複雑な構成であり、展示品の交換作業も面倒であった。
本発明は、このような欠点を解消するためになされたものであり、取扱いが容易で構造の単純な両面額縁の提供を目的とする。
【発明を解決するための手段】
【０００４】  上記不具合を解決するために、本発明は次のような構成としている。
請求項１に記載した両面額縁は、収容物の外形に合せた内径を有する枠体と同じ大きさあるいはそれよりも大きく形成して、この枠体の両面に組立用としての複数の貫通孔を設けた１対の透明板とで額本体を形成した。
この額本体を形成する１対の透明板に、前記収容物の外周囲が隠れる程度の幅を有する幕体、あるいは桟よりなる額縁状の疑似枠を配設すると共に、前記額本体内に設けた枠体内への収容物の挿脱手段を設けることで両面額縁とした。
このような両面額縁によれば、１対の透明板に疑似枠を取付けると共に、これらの１対の透明板で収容物を収納可能な枠体を挟むことで、簡略化した額縁を形成して収容物の挿脱が容易にできるようにした。
請求項２に記載した両面額縁は、請求項１に記載した両面額縁を形成する枠体を、コ字状の板体とこの板体の開放端を塞ぐ押えとにより形成し、この押えの挿脱口より収容物を出し入れ可能にした。
このような両面額縁によれば、枠体内に展示用だけでなく保管用の収容物も、収納することが可能である。
請求項３に記載した両面額縁は、請求項１及び請求項２に記載した枠体をロ字形に形成すると共に、この枠体と疑似枠付の一方の透明板とを固着することで第１の額を形成した。他方の疑似枠付の透明板を第２の額として、両者の一辺を蝶番により開閉可能にした。
この蝶番により開閉可能に形成した前記第１の額と、第２の額とを結合させる結合手段を設けて両面額縁とした。
このような両面額縁によれば、第１の額と第２の額とを開閉し、ロ字形の枠体内に展示用と保管用の収容物を収納するものである。
【発明の効果】
【０００５】  本発明によれば疑似枠が額縁になるので、収納部に位置決め用の段差を形成することもなく、単純な構成なので製造も簡単で安価に製作することができる。
収容物は展示用だけでなく、保管用も収納できる。しかも、この保管用の収容物は展示用の収納物と重ねて挿入するだけであるから、取扱いも非常に簡単であり、額を吊下げた状態で展示品の入替えも可能である等の効果を得ることができた。
【発明を実施するための最良の形態】
【０００６】  本発明について、図面を参照して説明する。図１は本発明の両面額縁を示す一部分解斜視図、図２は図１の分解斜視図、図３は図２で示す一方の透明板と枠体との組合せした状態を示す説明図である。
本発明の両面額縁１０は、図１で示すように図中の表裏面に配設した１対の透明板２０と、この透明板の一側より挿脱可能にした押え１８とからなる額本体１２と、この額本体１２を形成する透明板２０の周囲に設けた疑似枠２６とからなる。
このような額本体１２と疑似枠２６とについて、更に詳細に説明する。
額本体１２は図２で示すように、その周囲に対向させて設けた複数の貫通孔２１を有する１対の透明板２０と、この透明板の間に配設したコ字形の枠体１４と、この枠体の開放端を塞ぐように設けた押え１８とからなる。
枠体１４は板状よりなり、透明板２０よりも図中で示す上下方向を短く設定して、透明板２０に設けた貫通孔２１の周囲が隠れないように形成すると共に、コ字形の枠体１４の内径は、収容物としての写真や絵などを収納する部分である。
押え１８はコ字形の枠体内に挿入した収容物の開放側を位置決めして、その移動を防止するものである。従って、枠体１４と押え１８とで形成した枠内は、収容物の外形に合せている。
このような押え１８は枠体１４内に挿入される当板１６と、この当板の挿入位置を規制する細長い板状のストッパー１７とからなる。【０００７】  このように形成した枠体１４と押え１８とは、前述した透明板２０の一方と図３で示すように組合せして用いる。
すなわち、枠体１４は透明板２０に設けた貫通孔２１を塞がないように配設すると共に、この枠体１４と押え１８を形成する当板１６との厚み方向は、収容物の収納と保管場所とを兼用する収納部であるから、板厚が厚い程、収容物を多く収納できるものである。
また、押え１８を形成する当板１６とストッパー１７とは、別部品ではなく一体形成して、当板１６の図中で示す上下方向にその一部を突出させることで、対応することも可能である。
このような枠板１４と透明板２０との位置関係について、図４を参照して更に詳細に説明する。図４は枠体の形状の違いによる透明板の位置関係を示す説明図である。
図４の図中の左側の図は、図３の一部拡大図であり、透明板２０に設けた貫通孔２１から少し離れた状態で、枠体１４を配置している。その理由としてこの貫通孔２１には、１対の透明板同士を組合せする図２で示した組ねじ２８を挿入して、この組ねじに両面額縁１０を吊下げる紐２２を掛止させるための、空間を必要とするからである。
このような枠体１４は、図４の図中の右側の図で示すように、透明板２１と全く同じ大きさに形成して、両者を組合せすることも可能である。このような場合は、枠体１４と貫通孔２１とが重なる枠体部分に、円弧形の切欠１５を設けて、左側の図のように吊下用の紐２２を掛止するものである。円弧形の切欠は、その開口側から紐を挿入して引出すのに都合が良いからである。【０００８】  図面を参照して疑似枠について説明する。図５は疑似枠と枠体との位置関係を示す説明図である。
図５の図中の点線で示す枠体１４内を収容物の収納部としており、収納した図示しない収容物の外周囲を隠すような大きさで、斜線で示す疑似枠２６を形成する。
すなわち、枠体１４の収容部よりも、少し小さな枠状にして、透明板２０の外周囲に疑似枠２６を設けるものである。
この疑似枠２６は、塗料やフィルム等のようにシート状のものを貼付した幕体よりなるもので、この幕体による疑似枠２６は、透明板の表裏面のどちら側でも良くて、その一方あるいは両方の面に形成したものである。
尚、この疑似枠２６は、幕体により透明板２０の周囲に設けることによって、額縁状に形成したものであり、１対の透明板２０の両方に形成することで、どちら側の透明板から見ても、額縁に見えるように似せたものである。
このように形成した疑似枠２６付の１対の透明板２０と枠体１４とは、図２等で示したように組合せすると共に、１対の透明板２０に設けた貫通孔２１同士を介して、組ねじ２８にて組立する。
組ねじ２８とは、その内径にねじ溝を有する筒状で座付きのねじと、この座付きのねじとは一対になった座付きのボルトとを組合せして固着する市販のねじである。
更に、図４で示したように、１対の透明板間にその一部を露出させている組ねじ２８に、吊下用の紐２２を掛止させて、壁面などにこの両面額縁を吊下げるものである。
このように構成した両面額縁１０は、その側方に設けられ図１で示した押え１８を取外してから、複数枚の写真や絵を枠体１４内に挿入する。
例えば、１対の透明板２０側には、展示する収容物が見えるようにそれぞれ配設すると共に、展示用収容物の間には保管用としての収容物を入れる。
このような収納によれば、展示用品をすぐに選択できるし、保管用のものと入れ替えることも容易である。【０００９】  本発明の他の例について、図面を参照して説明する。図６は本発明の他の例で両面額縁を開いた状態で示す斜視図である。図７は図６で示した第１の額を分解した説明図、図８は図６で示した第２の額を分解した説明図である。
本発明の他の例で示す両面額縁３０は、前述例と同様に１対の透明板と、この透明板の間に収容物を収容する枠体とから構成されることは同じである。相違する点は図６で示すように図中の矢印Ａで示す方向に開閉可能な第１の額３６と第２の額３８とからなり、図示しない蝶番により両者を接合している。
第１の額３６は図７で示すように、透明板４０とこの透明板の周辺に設けた桟状の疑似枠４６とからなる。この疑似枠４６は前述例と同様に額縁に似せたものであるが、一定の幅よりなる桟より形成している。
また、透明板の周囲には、疑似枠４６や図示せぬ蝶番を位置決めして取付けるための複数の貫通孔４１を設けている。
第２の額３８は、第１の額と同様の疑似枠４６付の透明板４０と、この透明板と組合せすると共に、透明板と同じ大きさの枠体３４とからなる。
この枠体はロ字状でその内側に写真や絵などの収容物を前述例と同様に収納することができると共に、その周囲には第１の額の透明板と同様に、組合せ用の貫通孔４１や蝶番を位置決めする切欠３５等を設けている。更に両面額縁３０を壁面などから吊下げるために、止めねじ５４取付用の逃部となる切欠１５も前述例と同様に設けている。【００１０】  このように形成した第１の額３６と第２の額３８との組立について、図面を参照して説明する。図９は第１の額と第２の額との一辺を蝶番により結合する状態を示す説明図、図１０は図９の結合手段と吊下手段とを示す説明図である。
図９で示すように、第１の額３６と第２の額３８とを組立てるには、第２の額の枠体３４を内側にすると共に、透明板に取付けた疑似枠４６が外側になるように、それぞれの額の一端を蝶番５０で取付ける。
蝶番５０は枠体３４に設けられ、図８で示した切欠３５内に位置して、１対の透明板４０の貫通孔４１を介して疑似枠４６に固着している。蝶番によりその一辺を接合した第１の額３６と第２の額３８との頂部に配設する結合手段５１と吊下手段５５とについて説明する。
図１０で示すように第２の額３８の頂部中央には鉤形の止具５２を、また、第１の額３６の頂部には、この止具５２を掛止させる釘５３を設けることで、両面額縁上部の結合手段５１としている。
従って、第１の額３６と第２の額３８とを面で接合させると共に、図中の矢印Ｂで示す方向に止具５２を回転させて釘５３に掛止させることて、図示しない収容物を挟んだ状態の両面額縁３０が形成される。
また、この両面額縁３０の吊下手段５５としては、図１０で示すように、第２の額３８を形成する透明板４０と疑似枠４６とを固着する止めねじ５４を、枠体３４に設けた切欠１５内にその頭部を浮かせた状態で固着し、この止めねじ５４の突出部分に前述例と同様に紐２２を掛止させるものである。
この止めねじ５４は第２の額頂部の両端部に、図８で示したように１対で設けられ、吊下手段５５となるものである。
このように構成した両面額縁３０は、上部側の結合手段５１を外して、枠体３４内に収容物を前述例と同様に収納して用いるものである。【００１１】  図１で示した疑似枠は幕体で説明したが、図７で示した桟よりなる疑似枠でも良い。また、他の例で説明した桟よりなる疑似枠を、幕体よりなる疑似枠としても良い。
尚、これらの疑似枠はねじ止めで説明したが、両面接着テープや接着剤を用いた固着であっても良い。また、透明板や枠体の固着も同じである。
他の例で説明した枠体３４を一方の額にのみ設けたが、その板厚を薄くして２枚にすると共に、それぞれの枠体を第１の額と第２の額の両方に設けて、両者が重なるようにした枠体でも良く、第１の額と第２の額とが同一になるので管理や製造に都合が良くなる。
図１０で示した結合手段５１として止具５２と釘５３との例で説明したが、特にこれに限定するものではなく結合できるものであれば良い。また吊下手段５５についても同様である。
【図面の簡単な説明】
【００１２】
【図１】  本発明の両面額縁を示す一部分解斜視図である。
【図２】  図１の分解斜視図である。
【図３】  図２で示した一方の透明板と枠体との組合せ状態を示す説明図である。
【図４】  枠体の形状の違いによる透明板との位置関係を示す説明図である。
【図５】  疑似枠と枠体との位置関係を示す説明図である。
【図６】  本発明の他の例で両面額縁を開いた状態で示す斜視図である。
【図７】  図６で示した第１の額を分解して示す説明図である。
【図８】  図６で示した第２の額を分解して示す説明図である。
【図９】  図６で示した第１の額と第２の額との一辺を蝶番により結合した状態を示す説明図である。
【図１０】  図９の結合手段と吊下手段とを示す説明図である。
【符号の説明】
【００１３】  １０  両面額縁
１２  額本体
１４  枠体
１５  切欠
１８  押え
２０  透明板
２１  貫通孔
２６  疑似枠
３０  両面額縁
３２  額本体
３４  枠体
３６  第１の額
３８  第２の額
４０  透明板
４６  疑似枠
５０  蝶番
５１  結合手段
５５  吊下手段
【図１】
2010069277.tif 000003
【図２】
2010069277.tif 000004
【図３】
2010069277.tif 000005
【図４】
2010069277.tif 000006
【図５】
2010069277.tif 000007
【図６】
2010069277.tif 000008
【図７】
2010069277.tif 000009
【図８】
2010069277.tif 000010
【図９】
2010069277.tif 000011
【図１０】
2010069277.tif 000012